(57)【要約】【課題】電子部品を収納する筐体は、フロントケース８とリアケース９とからなり、フロントケース８に設けた係止部とリアケース９に設けた係止部とを係合させることにより、筐体を構成するが、フフロントケース８及びリアケース９それぞれに設けた係止部同士を係合させるため、筐体の外形寸法が大きくなってしまう問題点があった。【解決手段】メインＬＣＤ２、ＬＣＤホルダ１１を保持するシャーシ１２の側面に係止部１７、１８を設け、フロントケース８に設けた係止部８３と係止部１７とを係合、リアケース９に設けた係止部９３と係止部１８とを係合させるものとした。これによって、フロントケース８とリアケース９とが組み合わさった筐体の幅寸法を小さくでき、筐体を小型化できる。【選択図】          図１
2004297690.tif 000002
【特許請求の範囲】
【請求項１】
電子部品を保持するフレーム、このフレームの側面に設けられた少なくとも一対の第１係止部、この第１係止部と異なる位置の上記フレームの側面に設けられた少なくとも一対の第２係止部、上記電子部品及びフレームを表面側から覆う、上記第１係止部に係止される第３係止部を有するフロントケース、上記電子部品及びフレームを裏面側から覆う、上記第２係止部に係止される第４係止部を有するリアケースを備えたことを特徴とする携帯機器。
【請求項２】
電子部品を保持するフレーム、このフレームの側面に設けられた少なくとも一対の第１係止部、この第１係止部と異なる位置の上記フレームの側面に設けられた少なくとも一対の第２係止部、上記電子部品及びフレームを表面側から覆う、上記第１係止部に係止される第３係止部を有するフロントケース、上記電子部品及びフレームを裏面側から覆う、上記第２係止部に係止される第４係止部を有するリアケース、このリアケース及び上記フロントケースそれぞれの一端側及び他端側を各々連結固定する連結部を備え、上記第３及び第４の係止部は、上記フロントケース及びリアケースの一端側及び他端側の中間部に位置していることを特徴とする携帯機器。
【請求項３】
フレームは矩形に形成されおり、第１及び第２の係止部は対抗する側面外周に設けられていることを特徴とする請求項１又は２記載の携帯機器。
【請求項４】
電子部品が表示装置であることを特徴とする請求項１又は２記載の携帯機器。
【請求項５】
第１の係止部と第３の係止部、及び第２の係止部と第４の係止部が係止した状態で、フロントケース及びリアケースの開口が合わさって筐体を形成することを特徴とする請求項１又は２記載の携帯機器。
【発明の詳細な説明】
【０００１】
【発明の属する技術分野】
この発明は、携帯電話機等の携帯機器に関し、特に、電子部品を収納する筐体を構成するフロントケース及びリアケースの取り付け構造に関する。
【０００２】
【従来の技術】
携帯機器としての携帯電話機は、携帯に便利なように従来から小型、軽量化が進められてきた。一方で、携帯電話機は通話のみならず、パケット通信を利用した電子メールやインターネットに接続した情報サービスなど各種の用途に用いられるようになってきた。
【０００３】
このため、従来の通話のみの携帯電話機では表示部に表示する情報がごく僅かであったので、表示部には比較的小さな画面の液晶表示器が専ら使用されていたが、近年ではより多くの情報を見ることができるように大きな画面の液晶表示器が使用されるようになってきた。
【０００４】
つまり、携帯電話機にあっては、依然として小型、軽量化の要請はあるものの、情報を表示する液晶表示器は大きな画面とする相反した要請がある。
【０００５】
図４は携帯電話機の外観を示した斜視図であり、折畳型携帯電話機を開いた状態を示している。
図において、１は情報を表示する液晶表示器２を搭載した表示側筐体、３は電話番号を入力するためのテンキー等の操作キー４を搭載した操作側筐体で、この操作側筐体３はヒンジ部５で上記表示側筐体１と開閉可能に連結されている。また、表示側筐体１の端部には通話相手の音声を出力するレシーバー６が設けられており、操作側筐体３の端部にはユーザの音声を入力するマイク７が設けられている。
【０００６】
表示側筐体１及び操作側筐体３はそれぞれフロントケースとリアケースとからなっており、これらフロントケース及びリアケースは内部の各々対応する位置に係止部が設けられ、それらが係合することにより一体となり、筐体を構成している。
【０００７】
図５は従来の携帯電話機における表示側筐体１の液晶表示器２部分を横断した断面を示す断面図であり、２は液晶表示器（以下、メインＬＣＤと称す。）、８はフロントケース、９はリアケースであり、これらフロントケース８及びリアケース９は後述するように各々に設けられた係止部により係合して表示側筐体１を構成する。
【０００８】
メインＬＣＤ２の表示面は前面側に向けられ、表示面に対向して透明のフロントウインドウ１０が上記フロントケース８に嵌め込まれている。フロントケース８に嵌め込まれたフロントウインドウ１０の外周縁部は両面テープ（図示せず。）でフロントケース８の受け部に接着されている。メインＬＣＤ２は背面側からＬＣＤホルダ１１に保持され、さらに、ＬＣＤホルダ１１はその外周を囲むように保持するフレームとしてのシャーシ１２に保持されている。
【０００９】
この表示側筐体１には背面側にも液晶表示器（以下、背面ＬＣＤと称す。）１３があり、背面ＬＣＤ１３の表示面側に対向して透明の背面ウインドウ１４がリアケース９に嵌め込まれている。フロントウインドウ１０と同様にリアケース９に嵌め込まれた背面ウインドウ１４の外周縁部は両面テープ（図示せず。）でリアケース９の受け部に接着されている。また、背面ＬＣＤ１３は背面側からＬＣＤホルダ１５に保持され、さらに、ＬＣＤホルダ１５はその外周を囲むように保持するシャーシ１２に保持されている。
【００１０】
フロントケース８の側面端部及びリアケース９の側面端部にはそれぞれの対応する位置に係止部８ａ及び９ａが設けられており、これらが係合することにより一体となり、表示面側筐体１を構成している。なお、操作面側筐体３も同様にフロントケースとリアケースとが係合により一体となり、操作面側筐体１を構成している。
【００１１】
従来の構成によれば、メインＬＣＤ２を保持するＬＣＤホルダ１１及び背面ＬＣＤ１３を保持するＬＣＤホルダ１５をシャーシ１２に組み付け、さらに、部品を組み付けたシャーシ１２を収納保持するようにフロントケース８およびリアケース９の係止部８ａ及び９ａを係合させて組み付ける構成をとっている。
【００１２】
【発明が解決しようとする課題】
図５において、ｃはメインＬＣＤ２の表示領域、ａはシャーシ１２の幅寸法、ｂは表示側筐体１の幅寸法とシャーシ１２の幅寸法との差の寸法である。（但し、各寸法はメインＬＣＤ２中心からの寸法である。）
従来のフロントケース及びリアケースの取付け構造はそれぞれの側面端部に設けた係止部同士を係合することにより一体に取付けるようにしているので図５における寸法ｂが大きくなってしまう問題点があった。
【００１３】
この発明は、上記のような問題点に鑑みてなされたものであり、フロントケース及びリアケースで構成する筐体寸法を小さくでき、小型化された電子機器を得ることを目的としている。
【００１４】
【課題を解決するための手段】
この発明の携帯機器は、電子部品を保持するフレーム、このフレームの側面に設けられた少なくとも一対の第１係止部、この第１係止部と異なる位置の上記フレームの側面に設けられた少なくとも一対の第２係止部、上記電子部品及びフレームを表面側から覆う、上記第１係止部に係止される第３係止部を有するフロントケース、上記電子部品及びフレームを裏面側から覆う、上記第２係止部に係止される第４係止部を有するリアケースから構成したものである。
【００１５】
【発明の実施の形態】
実施の形態１．
以下、この発明の実施の形態１を図に基づいて説明する。  図１はこの発明の実施の形態１を示す組み立て展開図である。
【００１６】
実施の形態１に係る携帯電話機は表示面側筐体に対して、この発明の取付け構造を適用したものであり、図１において、展開図ではフロントケース８の裏面構造が見えないため、裏面を上にしたフロントケース８を併せて示している。
【００１７】
フロントケース８には四隅にねじ穴８１が設けられており、ヒンジ部５側の端部には筒部を構成する延在部８２が形成されている。また、フロントケース８裏面側の側面内側には係止部８３が一つの側面に２箇所形成され、対向する側面にも他方の側面の係止部８３位置に対向して２箇所形成されている。
【００１８】
リアケース９には四隅にねじボス９１が設けられており、ヒンジ部５側の端部には筒部を構成する延在部９２が形成されている。リアケース９裏面側の側面内側には係止部９３が一つの側面に２箇所形成され、対向する側面にも他方の側面の係止部９３位置に対向して２箇所形成されている。
【００１９】
メインＬＣＤ２を保持するＬＣＤホルダ１１は、その外周を囲むように設けられたフレームとしてのシャーシ１２により保持されている。また、シャーシ１２は矩形に形成されており、その四隅にはねじ穴１６が設けられている。
【００２０】
シャーシ１２の側面外周には上記フロントケース８の係止部８３と係合する係止部１７が一つの側面に２箇所形成され、対向する側面にも他方の側面の係止部１７位置に対向して２箇所形成されている。また、この係止部１７の位置と異なる側面外周に上記リアケース９の係止部９３と係合する係止部１８が一つの側面に２箇所形成され、対向する側面にも他方の側面の係止部１８位置に対向して２箇所形成されている。
【００２１】
図２は図１のあ−あ線における断面図であり、フロントケース８の係止部８３とシャーシ１２の係止部１７との係合状態を示している。
【００２２】
同様に、図３は図１のい−い線における断面図であり、リアケース９の係止部９３とシャーシ１２の係止部１１８との係合状態を示している。
【００２３】
このように構成された携帯電話機の表示面側筐体１は図１に示されるように組み付けられる。
【００２４】
即ち、フロントケース８にフロントウインドウ１０を取付け、該フロントケース８に形成した係止部８３をシャーシ１２の係止部１７と係合させる。次に、リアケース９に背面ウインドウ１０を取付け、該リアケース９に形成した係止部９３をシャーシ１２の係止部１８と係合させる。これにより、フロントケース８の開口とリアケース９の開口とが合わさり、表示面側筐体１が形成できる。
【００２５】
大きな衝撃が加わらない場合には、各系止部の係合により外力に耐えうるが、落下などの衝撃が加わることが予想される場合、ねじをねじ穴８１、１６に通してねじボス９１に締結固定する。
【００２６】
この実施の形態の場合、フロントケース８及びリアケース９をそれぞれシャーシ１２に係合させるようにしているので、図２及び図３における寸法Ｂが従来の図２における寸法ｂよりも小さくでき、筐体の外形寸法を小さくできるか、若しくは外形寸法を維持するなら、メインＬＣＤ２の画面を大きくすることができる。即ち、携帯電話機に要請されている小型化と大画面化何れか若しくは両方を満足することができる。
【００２７】
なお、上記実施の形態では、折畳型携帯電話機の表示面側筐体１に、この発明を実施した場合について説明したが、操作面側筐体３であっても実施できる。
【００２８】
また、折畳型あるいは携帯電話機である必要はなく、電子部品を保持するフレームを表面側からフロントケースで、裏面側からリアケースで覆って筐体を形成するものであれば適用可能なことは言うまでもない。
【００２９】
【発明の効果】
以上述べたように、この発明によれば、電子部品を保持するフレームを表面側及び裏面側から覆うフロントケース及びリアケースをそれぞれフレーム側面に形成した係止部に係合させて取付けるようにしたので、フロントケース及びリアケースからなる筐体寸法を小さくでき、携帯機器の小型化を図ることができる効果がある。
【図面の簡単な説明】
【図１】この発明の実施の形態１に係る携帯電話機の組み立て展開図である。
【図２】図１のあ−あ線における断面図である。
【図３】図１のい−い線における断面図である。
【図４】折畳型携帯電話機の外観を示す斜視図である。
【図５】従来の携帯電話機における液晶表示器部分の断面図である。
【符号の説明】
１  表示面側筐体、  ２  メインＬＣＤ、  ３  操作面側筐体、  ８  フロントケース、  ８３  係止部、  ９  リアケース、  ９３  係止部、  １２  シャーシ、  １７  係止部、  １８  係止部。
【図１】
2004297690.tif 000003
【図２】
2004297690.tif 000004
【図３】
2004297690.tif 000005
【図４】
2004297690.tif 000006
【図５】
2004297690.tif 000007